(57)【要約】【課題】開梱時や廃棄時の作業性が向上した梱包装置を提供する。【解決手段】被梱包物５の両側を支持した緩衝材１５を筒状の外箱６に挿入し、バンド７で結束することにより梱包が完成する梱包装置において、前記緩衝材１５のそれぞれを上下中間付近で二分割した上部緩衝材１と下部緩衝材２で構成し、前記上部緩衝材１と下部緩衝材２を突き合わせることにより前記緩衝材１５をトレイ状に形成するもので、梱包装置を開梱するとき外箱６から上部、下部緩衝材１、２や、被梱包物５を取り外す作業が容易になり開梱の作業性が向上すると共に、緩衝材１５から被梱包物５を取り出すときも下部緩衝材２を置き台として利用することが可能となり、作業性が向上し被梱包物５の保護も可能となる。また、開梱後の緩衝材１５が二分割されているため廃棄処理性も向上し、緩衝材１５の製造時の金型の取り数も向上し作成コストも低減が図れる。【選択図】図１
2011020697.tif 000002
【特許請求の範囲】
【請求項１】
被梱包物の両側を支持した緩衝材を筒状の外箱に挿入し、バンドで結束することにより梱包が完成する梱包装置において、前記緩衝材のそれぞれを、上下中間付近で二分割した上部緩衝材と下部緩衝材で構成し、前記上部緩衝材と下部緩衝材を突き合わせることにより前記緩衝材をトレイ状に形成することを特徴とする梱包装置。
【請求項２】
上部緩衝材と下部緩衝材が接する夫々の面に、被梱包物と接する面と緩衝材の外面を構成する面から連続する凹凸部をそれぞれ形成し、前記上部、下部緩衝材の前記凹凸部が交互に嵌め合わされることにより、前記上部、下部緩衝材の位置決めを行う請求項１に記載の梱包装置。
【請求項３】
上部緩衝材の密度と、下部緩衝材のそれとを変えた請求項１又は２に記載の梱包装置。
【請求項４】
上部緩衝材の外面に、梱包装置を荷扱いするとき使用する手掛け部を設け、前記手掛け部の内面上部に、前記上部緩衝材の外面から奥部に向けて前記手掛け部が深くなるように勾配を設けた請求項１〜３のいずれか１項に記載の梱包装置。
【発明の詳細な説明】
【技術分野】
【０００１】
本発明は、梱包装置に関するもので、特に、被梱包物として、分離型空気調和機の室内機を支持し外力より保護する梱包装置に関するものである。
【背景技術】
【０００２】
従来のこの種の梱包装置は、図４に示すように被梱包物である分離型空気調和機の室内機２０の左右両端に一体で形成された緩衝材２１を挿入することで、被梱包物２０を支持し、筒状に形成された外箱２２に緩衝材２１と共に室内機２０を挿入しバンド２３で結束するようにしていた（例えば、特許文献１及び２参照）。
【先行技術文献】
【特許文献】
【０００３】
【特許文献１】特開２００８−１５００６８号公報
【特許文献２】特開２００２−８００２７号公報
【発明の概要】
【発明が解決しようとする課題】
【０００４】
しかしながら、上記特許文献に記載されたような従来の梱包装置の構成では、緩衝材２１が一体で形成されているため梱包時の作業性は良いが、緩衝材２１と外箱２２が硬く挿入されているため開梱時の作業性が悪く、容易に緩衝材２１を外箱２２から外すことが困難であった。また、緩衝材２１から室内機２０を取り出すときの作業性も悪く、室内機２０を傷つける危険性もあった。
【０００５】
さらに、開梱後の緩衝材２１の廃棄のときの分解作業も硬くてやり難く、作業性を低下させていた。また、緩衝材２１自体もトレイ状の底面を形成する面積が大きいため金型面積に対する取り数が少なく、成型効率が悪くなり加工性の低下や部品コストＵＰの要因になっていた。さらに、一体で形成されているため一律の材質で緩衝材２１を構成する必要があるなど作業性の低下や被梱包物である室内機２０の保護機能に制約を持たされるなどの課題があった。
【０００６】
本発明は、このような従来の課題を解消するもので、開梱時の作業性を向上させ被梱包物の保護機能にも優れると共に、緩衝材の廃棄時の処理性も向上させた梱包装置を提供することを目的とする。
【課題を解決するための手段】
【０００７】
上記従来の課題を解決するために、本発明の梱包装置は、被梱包物の両側を支持した緩衝材を筒状の外箱に挿入し、バンドで結束することにより梱包が完成する梱包装置において、前記緩衝材のそれぞれを、上下中間付近で二分割した上部緩衝材と下部緩衝材で構成し、前記上部緩衝材と下部緩衝材を突き合わせることにより前記緩衝材をトレイ状に形成するもので、梱包装置を開梱するとき外箱から上部、下部緩衝材や、被梱包物を取り外す作業が容易になり開梱の作業性が向上すると共に、緩衝材から製品を取り出すときも下部緩衝材を置き台として利用することが可能となり、作業性が向上し製品の保護も可能となる。また、開梱後の緩衝材が二分割されているため廃棄時の緩衝材分解作業が容易になり廃棄処理性も向上し、緩衝材製造時の金型の取り数も向上し作成コストの低減も図れる。
【発明の効果】
【０００８】
本発明の梱包装置は、緩衝材を上下二分割し分割した緩衝材を組み合わせて被梱包物を
支持し外箱内に挿入するもので、緩衝材を分割することにより開梱や廃棄時の作業性が向上し被梱包物の保護機能も向上する。
【図面の簡単な説明】
【０００９】
【図１】本発明の第１の実施の形態における梱包装置の包装状態を示す分解斜視図
【図２】本発明の第２の実施の形態における梱包装置の緩衝材の斜視図
【図３】本発明の第３の実施の形態における梱包装置の緩衝材の要部断面図
【図４】従来の梱包装置の包装状態を示す分解斜視図
【発明を実施するための形態】
【００１０】
第１の発明は、被梱包物の両側を支持した緩衝材を筒状の外箱に挿入し、バンドで結束することにより梱包が完成する梱包装置において、前記緩衝材のそれぞれを、上下中間付近で二分割した上部緩衝材と下部緩衝材で構成し、前記上部緩衝材と下部緩衝材を突き合わせることにより前記緩衝材をトレイ状に形成するもので、梱包装置を開梱するとき外箱から上部、下部緩衝材や、被梱包物を取り外す作業が容易になり開梱の作業性が向上すると共に、緩衝材から製品を取り出すときも下部緩衝材を置き台として利用することが可能となり、作業性が向上し製品の保護も可能となる。また、開梱後の緩衝材が二分割されているため廃棄時の緩衝材分解作業が容易になり廃棄処理性も向上し、緩衝材製造時の金型の取り数も向上し作成コストの低減も図れる。
【００１１】
第２の発明は、特に、第１の発明の上部緩衝材と下部緩衝材が接する夫々の面に、被梱包物と接する面と緩衝材の外面を構成する面から連続する凹凸部をそれぞれ形成し、前記上部、下部緩衝材の前記凹凸部が交互に嵌め合わされることにより、前記上部、下部緩衝材の位置決めを行うもので、上下に分割された上部、下部緩衝材が一体化され、一体の緩衝材と同等の保護機能を維持できると共に、上部、下部緩衝材同士を組み合わせるときの作業性も良く、しかも緩衝材外面に段差部などが発生し難くなり美観を損ねることも無くなる。
【００１２】
第３の発明は、特に、第１又は第２の発明の上部緩衝材の密度と、下部緩衝材のそれとを変えたもので、被梱包物の構造に合わせて上部緩衝材と下部緩衝材とで密度を変更して、緩衝材による保護機能を容易に変化させることが可能となり保護機能に優れた緩衝材を容易に作成することができ品質の向上が可能となる。
【００１３】
第４の発明は、特に、第１〜３のいずれか一つの発明の上部緩衝材の外面に、梱包装置を荷扱いするとき使用する手掛け部を設け、前記手掛け部の内面上部に、前記上部緩衝材の外面から奥部に向けて前記手掛け部が深くなるように勾配を設けたもので、荷扱い時に手掛け部に指が掛かりやすくなり梱包装置を持ったときの安定性が良くなり落下などの事故が低減し物流品質が良くなると共に、運搬時の作業性も向上する。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における梱包装置の梱包状態を示す分解斜視図である。
【００１６】
図１において、本実施の形態における梱包装置の緩衝材１５は、上下二分割され、緩衝材１５の上部を構成する上部緩衝材１と、下部を構成する下部緩衝材２から構成され、上部緩衝材１と下部緩衝材２のそれぞれの端面３、４同士を突き合わせて一体化させることでトレイ状の緩衝材１５を形成するようになっている。
【００１７】
この上部緩衝材１と、下部緩衝材２を用いて、被梱包物５である分離型空気調和機の室内機の両端を支持し、被梱包物５と共に筒状の外箱６に挿入することで上部緩衝材１、下部緩衝材２が外箱６の側面を構成し、バンド７で結束して梱包が完了する。
【００１８】
以上のように、本実施の形態においては、梱包装置の側面を形成する緩衝材１５を上下に二分割することで開梱時や緩衝材１５の廃棄時の作業性が向上する。
【００１９】
（実施の形態２）
図２は、本発明の第２の実施の形態における梱包装置の緩衝材の斜視図である。尚、上記第１の実施の形態における梱包装置と同一部品には同一符号を付してその説明を省略する。
【００２０】
本実施の形態における梱包装置は、上下に二分割された上部緩衝材１の、下部緩衝材２と接する端面３に、被梱包物５と接する面から連続した凹凸部８と、上部緩衝材１の外面から連続した凹凸部９を形成している。そして、下部緩衝材２の上部緩衝材１と接する端面４にも、被梱包物５と接する面から連続した凹凸部１０と下部緩衝材２の外面から連続した凹凸部１１を形成し、それぞれが、上部緩衝材１に形成された凹凸部８、９と嵌め合わされるように形成されている。
【００２１】
以上のように、本実施の形態においては、上下の上部緩衝材１と下部緩衝材２が接する面に、それぞれが嵌め合わされる凹凸部８〜１１を形成し、この凹凸部８〜１１が、被梱包物５と接する面と、上部、下部緩衝材１、２の外面から連続するように形成することで、上部、下部緩衝材１、２同士を位置決めして剛性を上げると共に、上部、下部緩衝材１、２それぞれの外面の段差の発生を防止することができる。  
【００２２】
なお、上下に分割された緩衝材１５の上部を構成する上部緩衝材１と下部を構成する下部緩衝材２のそれぞれを発泡スチロールなどの樹脂材料で形成すると共に、その上部緩衝材１と下部緩衝材２の樹脂材料の密度を、被梱包物５の上部、下部の形状、重心位置等に応じて変えるようにすれば、被梱包物５の保護機能に優れた緩衝材１５を容易に作成することができ品質の向上が可能となる。
【００２３】
（実施の形態３）
図３は、本発明の第３の実施の形態における梱包装置の緩衝材の要部断面図である。尚、上記実施の形態における梱包装置と同一部品には同一符号を付してその説明を省略する。
【００２４】
本実施の形態における梱包装置は、上部緩衝材１の外面に、梱包完成後の荷扱いに使用する手掛け部１２を形成し、さらに、この手掛け部１２の上面に上部緩衝材１の外面から内側に向けて上向きの、すなわち手掛け部１２が深くなるように勾配１３を形成したものである。
【００２５】
以上のように、本実施の形態においては、手掛け部１２の内側に勾配１３を設けたことで、荷扱い時に手掛け部１２に指が掛かりやすくなり、落下などの事故が低減し物流品質が良くなると共に、運搬時の作業性も向上する。
【産業上の利用可能性】
【００２６】
以上のように、本発明にかかる梱包装置は、緩衝材を二分割し一体の緩衝材と同等の機能を維持したもので、分離型空気調和機の室内機以外の物品の梱包にも使用することが可能である。
【符号の説明】
【００２７】
１  上部緩衝材
２  下部緩衝材
３、４  端面
５  被梱包物
６  外箱
７  バンド
８〜１１  凹凸部
１２  手掛け部
１３  勾配
１５  緩衝材
【図１】
2011020697.tif 000003
【図２】
2011020697.tif 000004
【図３】
2011020697.tif 000005
【図４】
2011020697.tif 000006